(57)【要約】【課題】ＡＭラジオ受信時のビート妨害を回避しつつ液晶パネルの表示を良好に維持する。【解決手段】映像信号に基づいて映像を表示する液晶パネルと、該液晶パネルを照明するバックライトと、該バックライトを調光制御する調光回路と、該映像信号を出力する映像信号処理回路とを備える、ＡＭラジオ放送モードを含む複数の動作モードを実行可能なラジオ受信機におけるビート妨害の回避方法であって、ＡＭラジオ放送モードの選択を検出するステップと、調光回路からバックライトへ出力されるバックライト駆動パルスのデューティ比を変更するステップとを有し、ＡＭラジオ放送モードの選択を検出した場合、バックライトがＡＭラジオ放送モードの選択する前よりも暗くなるようにバックライト駆動パルスのデューティ比を変更する。【選択図】図１
2011139324.tif 000002
【特許請求の範囲】
【請求項１】
映像信号に基づいて映像を表示する液晶パネルと、該液晶パネルを照明するバックライトと、該バックライトを調光制御する調光回路と、該映像信号を出力する映像信号処理回路とを備える、ＡＭラジオ放送モードを含む複数の動作モードを実行可能なラジオ受信機におけるビート妨害の回避方法であって、
ＡＭラジオ放送モードの選択を検出するステップと、
前記調光回路から前記バックライトへ出力されるバックライト駆動パルスのデューティ比を変更するステップと、を有し、
ＡＭラジオ放送モードの選択を検出した場合、前記バックライトが該ＡＭラジオ放送モードの選択を検出する前よりも暗くなるように前記バックライト駆動パルスのデューティ比を変更する、
ことを特徴とするラジオ受信機におけるビート妨害の回避方法。
【請求項２】
前記映像信号処理回路によって前記液晶パネルの背景色を変更するステップをさらに有し、
ＡＭラジオ放送モードの選択を検出した場合に、前記液晶パネルの背景色を変更する、
ことを特徴とする請求項１に記載のラジオ受信機におけるビート妨害の回避方法。
【請求項３】
前記液晶パネルの背景色を変更する場合に、予め設定された背景色の明度を高くすることを特徴とする請求項２に記載のラジオ受信機におけるビート妨害の回避方法。
【請求項４】
前記液晶パネルの背景色を変更する場合に、予め設定された背景色の色相を変更することを特徴とする請求項２に記載のラジオ受信機におけるビート妨害の回避方法。
【請求項５】
ＡＭラジオ放送モード以外のモードの選択を検出するステップをさらに有し、
ＡＭラジオ放送モードからＡＭラジオ放送モード以外のモードへの選択切り替えを検出した場合に、前記バックライトが該ＡＭラジオ放送モードの選択を検出する前と同じ明るさとなるように前記バックライト駆動パルスのデューティ比を再変更する、
ことを特徴とする請求項２から請求項４のいずれか一項に記載のラジオ受信機におけるビート妨害の回避方法。
【請求項６】
ＡＭラジオ放送モードからＡＭラジオ放送モード以外のモードへの選択切り替えを検出した場合に、前記液晶パネルの背景色を再変更することを特徴とする請求項５に記載のラジオ受信機におけるビート妨害の回避方法。
【請求項７】
前記液晶パネルの背景色を再変更する場合に、前記液晶パネルの背景色の明度を低くすることを特徴とする請求項６に記載のラジオ受信機におけるビート妨害の回避方法。
【請求項８】
前記液晶パネルの背景色を再変更する場合に、前記液晶パネルの背景色の色相を変更することを特徴とする請求項６に記載のラジオ受信機におけるビート妨害の回避方法。
【請求項９】
映像信号に基づいて映像を表示する液晶パネルと、該液晶パネルを照明するバックライトと、該バックライトを調光制御する調光回路と、該映像信号を出力する映像信号処理回路とを備える、ＡＭラジオ放送モードを含む複数の動作モードを実行可能なラジオ受信機であって、
ＡＭラジオ放送モードの選択を検出すると、前記液晶パネルのコントラストが該ＡＭラジオ放送モードの選択を検出する前よりも下がるように前記調光回路から前記バックライトへ出力されるバックライト駆動パルスのデューティ比を変更する、
ことを特徴とするラジオ受信機。
【請求項１０】
ＡＭラジオ放送モードの選択を検出した場合に、さらに前記液晶パネルの背景色を変更することを特徴とする請求項９に記載のラジオ受信機。
【請求項１１】
ＡＭラジオ放送モードからＡＭラジオ放送モード以外のモードへの選択切り替えを検出した場合に、前記バックライトが該ＡＭラジオ放送モードの選択を検出する前と同じ明るさとなるように前記バックライト駆動パルスのデューティ比を再変更することを特徴とする請求項９又は請求項１０に記載のラジオ受信機。
【請求項１２】
ＡＭラジオ放送モードからＡＭラジオ放送モード以外のモードへの選択切り替えを検出した場合に、さらに前記液晶パネルの背景色を再変更することを特徴とする請求項１１に記載のラジオ受信機。
【請求項１３】
映像信号に基づいて映像を表示する液晶パネルと、該液晶パネルを照明するバックライトと、該バックライトを調光制御する調光回路と、該映像信号を出力する映像信号処理回路とを備える、ＡＭラジオ放送モードを含む複数の動作モードを実行可能なラジオ受信機においてビート妨害を回避するためのプログラムであって、
ＡＭラジオ放送モードの選択を検出するステップと、
前記調光回路から前記バックライトへ出力されるバックライト駆動パルスのデューティ比を変更するステップと、
ＡＭラジオ放送モードの選択を検出した場合、前記バックライトが該ＡＭラジオ放送モードの選択を検出する前よりも暗くなるように前記バックライト駆動パルスのデューティ比を変更するステップと、を有する、
ことを特徴とするプログラム。
【請求項１４】
前記映像信号処理回路によって前記液晶パネルの背景色を変更するステップをさらに有し、
ＡＭラジオ放送モードの選択を検出した場合に、前記液晶パネルの背景色を変更する、
ことを特徴とする請求項１３に記載のプログラム。
【請求項１５】
ＡＭラジオ放送モード以外のモードへの選択切り替えを検出するステップをさらに有し、
ＡＭラジオ放送モードからＡＭラジオ放送モード以外のモードへの選択切り替えを検出した場合に、前記バックライトが該ＡＭラジオ放送モードの選択を検出する前と同じ明るさとなるように前記バックライト駆動パルスのデューティ比を再変更する、
ことを特徴とする請求項１３又は請求項１４に記載のプログラム。
【請求項１６】
ＡＭラジオ放送モードからＡＭラジオ放送モード以外のモードへの選択切り替えを検出した場合に、前記液晶パネルの背景色を再変更することを特徴とする請求項１５に記載のプログラム。
【発明の詳細な説明】
【技術分野】
【０００１】
本発明は、ラジオ受信機に関するものであり、より詳しくは、液晶パネルを搭載したラジオ受信機において、ＡＭラジオ放送の受信時に液晶パネルのバックライト用の照明回路の動作が原因で発生するビート妨害による感度悪化を改善するものである。
【背景技術】
【０００２】
従来から、車両等に搭載される車載器には、ＡＭ／ＦＭラジオ放送の電波を受信するための受信ユニットが備えられている。また、車載器には、例えば、ＧＰＳ（Global Positioning System）受信装置による測位解と、車速センサやジャイロセンサ等のデッドレコニングセンサによる測位解とを併用して自車位置等を推定し、地図情報を用いてマップマッチングを行って経路案内を行うカーナビゲーション機能や、ＶＩＣＳ情報を受信する機能や、ＥＴＣのデータ通信を実行する機能や、サテライト放送を視聴する機能等を備える装置が設けられ、種々の処理が同時に実行されている。
【０００３】
そして、車載器内の各種機器からは動作に応じてそれぞれ異なるノイズ周波数が発生する。これらのノイズ周波数は、ＡＭ／ＦＭラジオ放送や地上デジタル放送の電波を受信する際の受信感度を低下させる原因となる。ノイズの発生源の１つとして、液晶パネルのバックライトが挙げられる。バックライトには、冷陰極管（ＣＣＦＬ）やＬＥＤが用いられている。冷陰極管は、ガラス管内に水銀と希ガスが封入されており、グロー放電の陽光柱で発生する紫外線が蛍光体で可視光に変換される。冷陰極管は、陰極材料の改善、動作温度の最適化、長尺化、細管化などでランプ効率向上や輝度向上が進んでいる。導光板が薄くなるに従い冷陰極管も細くなってきており、直径数ミリ程度の非常に細径の冷陰極管は、導光板の発展とともに近年急速に普及している。冷陰極管の発光原理は普通の蛍光管（熱陰極管）と基本的に変わりはないが、電極にフィラメントがないので構造が簡単で電極を小さくできることから、細径化に適している。
【０００４】
冷陰極管は調光回路であるインバータ回路によって駆動されており、この回路は高圧回路であるため、ＡＭラジオ放送の受信時には大きなノイズ源となる。このノイズの対策として、従来ではインバータ回路をシールドケース等のシールド部材によって覆ったり、電源ラインにフィルタを介在させたりしてノイズレベルを低くしていた。しかし、シールド部材やフィルタを設けると、低コスト化や小型軽量化に反することになるため好ましくない。また、インバータ回路の発振周波数は数十ｋＨｚであり、インバータ回路内の変圧器の出力振幅は数百Ｖとなるため、インバータ回路から発生する高調波の出力レベル（エネルギー）が高い。そのため、インバータ回路からの高調波は、上記のノイズ対策を行っても完全に除去することができない。また、この高調波は、ＡＭラジオ帯域の受信周波数に一致することがある。そして、ラジオチューナーによってこの高調波と同一の周波数のラジオ局の放送を受信する場合、高調波がラジオチューナーやアンテナ回路に飛び込んだり、基板の電源系やグランド（ＧＮＤ）系等の各種配線パターンから回り込んで干渉することによりビート妨害を発生させ、ＡＭラジオ放送の受信感度が低下する可能性がある。
【０００５】
一例として、欧州のＡＭラジオ放送の帯域を考え、ＣＣＦＬインバータ回路の発振周波数が６３ｋＨｚであるとする。このとき、長波（１５３〜２７９ｋＨｚ；局間ステップ：３ｋＨｚ）では、第３高調波（１８９ｋＨｚ）及び第４高調波（２５２ｋＨｚ）と同一の周波数の放送を受信する際にビート妨害が発生する。また、中波（５３１〜１６０２ｋＨｚ；局間ステップ：９ｋＨｚ）では、第９高調波（５６７ｋＨｚ）から第２５高調波（１５７５ｋＨｚ）の各高調波と同一の周波数の放送を受信する際にビート妨害が発生する。
【０００６】
これらのノイズ周波数を除去する構成としては、特許文献１に開示される装置が提案されている。この装置では、車載機内の各機器に対応するノイズ周波数除去用のフィルタが設けられており、各機器の動作及び停止に合わせてフィルタの有効及び無効を切り替え、受信した電波中に存在するノイズを除去して信号処理を行うことにより、所望の電波の受信感度を向上させる。
【先行技術文献】
【特許文献】
【０００７】
【特許文献１】特開２００７−２５８８０５号公報
【発明の概要】
【発明が解決しようとする課題】
【０００８】
ところが、上記のような従来のノイズ除去又はノイズ低減を行う構成を用いて液晶パネルのバックライトの駆動に伴うノイズを除去する場合、ノイズの除去に適切なフィルタを選択する処理や車載器内の他の機器のオン／オフに応じてフィルタのオン／オフを切り替える等の複数の処理を行わなければならず、ノイズ除去を行う構成要素が複雑になるという問題がある。
【０００９】
本発明は上記の事情に鑑みてなされたものである。本発明の目的は、ラジオ受信機において簡便な構成で液晶パネルのバックライトの駆動によって発生するノイズを除去することである。
【課題を解決するための手段】
【００１０】
本発明の一実施形態によるラジオ受信機におけるビート妨害の回避方法は、映像信号に基づいて映像を表示する液晶パネルと、該液晶パネルを照明するバックライトと、該バックライトを調光制御する調光回路と、該映像信号を出力する映像信号処理回路とを備える、ＡＭラジオ放送モードを含む複数の動作モードを実行可能なラジオ受信機におけるビート妨害の回避方法であって、ＡＭラジオ放送モードの選択を検出するステップと、調光回路からバックライトへ出力されるバックライト駆動パルスのデューティ比を変更するステップとを有し、ＡＭラジオ放送モードの選択を検出した場合、バックライトが該ＡＭラジオ放送モードの選択を検出する前よりも暗くなるようにバックライト駆動パルスのデューティ比を変更する。すなわち、ラジオ受信機のモードをＡＭラジオ放送モードに切り換えたときに、バックライトを駆動する調光回路の変圧器から生じる高調波がＡＭラジオ放送の受信におけるノイズ源とならないように変圧器におけるデューティ比を変更しつつ、デューティ比の変更によりバックライトが暗くなることでユーザに違和感や不快感等を与えないように液晶パネルの背景色を変更することによって、ＡＭラジオ放送を良好に受信及び再生して液晶パネルの表示状態を良好に維持することができる。
【００１１】
また、映像信号処理回路によって液晶パネルの背景色を変更するステップをさらに有し、ＡＭラジオ放送モードの選択を検出した場合に、液晶パネルの背景色を変更する。そして、液晶パネルの背景色を変更する場合に、予め設定された背景色の明度を高くする。または、液晶パネルの背景色を変更する場合に、予め設定された背景色の色相を変更する。このように、ＡＭラジオ放送の受信に切り換えたときに、これらの背景色の変更方法によってユーザに液晶パネルの表示の違和感や不快感等を与えないようにすることができる。
【００１２】
好ましくは、ＡＭラジオ放送モード以外のモードへの選択切り替えを検出するステップをさらに有し、ＡＭラジオ放送モードからＡＭラジオ放送モード以外のモードへの選択切り替えを検出した場合に、バックライトが該ＡＭラジオ放送モードの選択を検出する前と同じ明るさとなるようにバックライト駆動パルスのデューティ比を再変更する。従って、ＡＭラジオ放送に切り換えたときだけでなく、ＡＭラジオ放送から他の種類のモードに切り換えたときにも、ユーザに液晶パネルの表示の違和感や不快感等を与えないようにすることができる。さらに、ＡＭラジオ放送モードからＡＭラジオ放送モード以外のモードへの選択切り替えを検出した場合に、液晶パネルの背景色を再変更する。そして、液晶パネルの背景色を再変更する場合に、液晶パネルの背景色の明度を低くする。または、液晶パネルの背景色を再変更する場合に、液晶パネルの背景色の色相を変更する。
【００１３】
また、本発明の一実施形態におけるラジオ受信機は、映像信号に基づいて映像を表示する液晶パネルと、該液晶パネルを照明するバックライトと、該バックライトを調光制御する調光回路と、該映像信号を出力する映像信号処理回路とを備える、ＡＭラジオ放送モードを含む複数の動作モードを実行可能なラジオ受信機であって、ＡＭラジオ放送モードの選択を検出すると、液晶パネルのコントラストが該ＡＭラジオ放送モードの選択を検出する前よりも下がるように調光回路からバックライトへ出力されるバックライト駆動パルスのデューティ比を変更する。そして、ＡＭラジオ放送モードの選択を検出した場合に、さらに液晶パネルの背景色を変更する。さらに、ＡＭラジオ放送モードからＡＭラジオ放送モード以外のモードへの選択切り替えを検出した場合に、バックライトが該ＡＭラジオ放送モードの選択を検出する前と同じ明るさとなるようにバックライト駆動パルスのデューティ比を再変更する。また、ＡＭラジオ放送モードからＡＭラジオ放送モード以外のモードへの選択切り替えを検出した場合に、さらに液晶パネルの背景色を再変更する。
【００１４】
さらに、本発明の一実施形態におけるラジオ受信機においてビート妨害を回避するためのプログラムは、映像信号に基づいて映像を表示する液晶パネルと、該液晶パネルを照明するバックライトと、該バックライトを調光制御する調光回路と、該映像信号を出力する映像信号処理回路とを備える、ＡＭラジオ放送モードを含む複数の動作モードを実行可能なラジオ受信機においてビート妨害を回避するためのプログラムであって、ＡＭラジオ放送モードの選択を検出するステップと、調光回路からバックライトへ出力されるバックライト駆動パルスのデューティ比を変更するステップと、ＡＭラジオ放送モードの選択を検出した場合、バックライトが該ＡＭラジオ放送モードの選択を検出する前よりも暗くなるようにバックライト駆動パルスのデューティ比を変更するステップとを有する。そして、映像信号処理回路によって液晶パネルの背景色を変更するステップをさらに有し、ＡＭラジオ放送モードの選択を検出した場合に、液晶パネルの背景色を変更する。さらに、ＡＭラジオ放送モード以外のモードへの選択切り替えを検出するステップをさらに有し、ＡＭラジオ放送モードからＡＭラジオ放送モード以外のモードへの選択切り替えを検出した場合に、バックライトが該ＡＭラジオ放送モードの選択を検出する前と同じ明るさとなるようにバックライト駆動パルスのデューティ比を再変更する。また、ＡＭラジオ放送モードからＡＭラジオ放送モード以外のモードへの選択切り替えを検出した場合に、液晶パネルの背景色を再変更する。
【発明の効果】
【００１５】
本発明のラジオ受信機によれば、ＡＭラジオ放送の受信時にビート妨害を発生させることなく良好に受信及び再生を行うことができる。
【図面の簡単な説明】
【００１６】
【図１】図１は、本発明の一実施形態におけるラジオ受信機の概略を示すブロック図である。
【図２】図２は、本発明の一実施形態におけるラジオ受信機を示す模式図である。
【図３】図３は、本発明の一実施形態におけるラジオ受信機のビート妨害の回避方法における処理を示すフローチャートである。
【発明を実施するための形態】
【００１７】
以下、図面を参照して、本発明の一実施形態におけるラジオ受信機の構造について説明する。なお、複数の図にまたがって同じ部材を示す場合は同じ符号を付すこととする。また、図には、本実施形態においてＡＭラジオ放送の受信に関連するブロックのみを示すこととし、他の種類の放送の受信に必要なブロック及び説明は省略する。
【００１８】
図１は、本実施形態におけるラジオ受信機１００の概略を示すブロック図である。ラジオ受信機１００は、本体部１とパネル部５とからなる。本体部１において、アンテナ回路４より受信した希望局の電波は、ラジオチューナー３に送られる。ラジオチューナー３では、希望局のＡＭ変調波信号を増幅回路によって増幅した後、局部発振器から出力される局部発振信号を混合回路によって混合することにより中間周波信号への変換を行う。具体的には、混合回路からは、増幅回路から出力される増幅後のＡＭ変調波信号の周波数と、局部発振器から出力される局部発振信号の周波数とに基づく中間周波信号が出力される。続いて、その前段および後段に中間周波フィルタを有する中間周波増幅回路により、入力される中間周波信号から変調波信号の占有周波数帯域に含まれる周波数成分が抽出される。中間周波増幅回路によって増幅された中間周波信号は、ＡＭ検波回路においてＡＭ検波処理が実行され、音声信号が取り出される。取り出された音声信号は増幅器で増幅された後、スピーカ等から音声出力される。なお、ラジオチューナー３は、マスターマイコン２の指示に基づいて希望局の放送を受信するように動作する。マスターマイコン２は、操作部１６からユーザの希望局に関する操作等を受け付ける。
【００１９】
マスターマイコン２は、ラジオ受信機１００内の各部の制御を実行するものであり、制御用プログラム等が格納されるＲＯＭ（Read-Only Memory）や、演算データ等を一時的に記憶するＲＡＭ（Random-Access Memory）等の記憶手段を内蔵している。なお、マスターマイコン２は、キースイッチを介してバッテリに接続されたアクセサリ電源の他に、車両のバッテリに直結されたバックアップ電源と電気的に接続されており、アクセサリ電源がオフの間はバックアップ電源から電力が供給されて動作可能となっている。
【００２０】
ラジオ受信機１００のパネル部５は、インバータ回路６、バックライト１０、映像信号処理回路１１、液晶パネル１５、操作部１６を備える。インバータ回路６は、パルス信号により発光時間（パルス信号の幅）を変化させて光量を変えるパルス幅変調（ＰＷＭ）を用いて調光する調光回路であり、マスターマイコン２からの制御信号に応じてパルス幅変調信号を生成する。そして、このＰＷＭによる調光制御に応じたデューティ比が設定された管電流が、バックライト１０に印加されることにより輝度制御が行われる。すなわち、デューティ比を変更することによってバックライト１０の輝度が制御され、液晶パネル１５におけるコントラストが制御される。マスターマイコン２からの調光制御の制御信号は、コントローラ回路７に送られる。コントローラ回路７は、受信した制御信号に基づき、ＦＥＴ（Field-Effect Transistor）８のゲートへの出力パルスのデューティ比を制御する。変圧器９は、ＦＥＴ８によりデューティ比が制御された出力パルスをバックライト１０を点灯させるための高電圧の交流電圧に昇圧し、昇圧された高電圧の交流電圧をバックライト１０にバックライト駆動パルスとして出力する。
【００２１】
バックライト１０は、光源として冷陰極管を有する。また、光源から放射された光を反射させる反射鏡を有し、反射された光を均一な面光源にする導光板を有する。さらに、導光板からの光を液晶パネル１５に向けて反射する反射膜と、導光板から液晶パネル１５に向けて放射された光を拡散する拡散フィルムとを有している。
【００２２】
液晶パネル１５中の各画素は、対応する各液晶分子の状態に応じてその透過率が変化する。このため、バックライト１０の拡散フィルムから射出された光によって液晶パネル１５が照明されると、各画素の透過率の違いによって液晶パネル１５の画面上に明部と暗部ができる。このような明部と暗部の組み合わせによって画面上に図形や文字情報を表示することができる。
【００２３】
液晶パネル１５の画面上に表示する図形や文字情報は、映像信号処理回路１１によって制御される。映像信号処理回路１１は、フラッシュＲＯＭ１２、ＯＳＤ（On-Screen Display）１３、映像信号処理部１４を備える。ＯＳＤ１３は、マスターマイコン２の制御に従って、液晶パネル１５に表示される図形や文字情報を映像信号に重ねることにより合成信号を生成する。映像信号に重畳される図形や文字情報は、例えばラジオチューナー３によって選局されている放送局の受信周波数や放送信号から取得されたコンテンツのデータ等を含む。また、ＯＳＤ１３は、フラッシュＲＯＭ１２に記憶された各種情報、例えば、ユーザがラジオ受信機１００の各種設定を操作するためのメニュー画面（ＧＵＩ：Graphical User Interface）等のデータを読み出して映像信号に重畳することもできる。さらに、ＯＳＤ１３は、マスターマイコン２の制御に従って、液晶パネル１５に表示する図形や文字情報等の背景色や文字色等の変更や調整も行う。
【００２４】
ＯＳＤ１３から出力される信号は、映像信号処理部１４に入力される。映像信号処理部１４は、マスターマイコン２から送られる制御信号に従って、ＯＳＤ１３から受信した合成信号に対して液晶パネル１５の表示領域に応じた描画処理を実行し、処理した信号を液晶パネル１５に表示する。
【００２５】
図２には、本実施形態におけるラジオ受信機１００の模式図を示す。本体部１のマスターマイコン２、ラジオチューナー３、アンテナ回路４は、それぞれ本体部基板１８上に配設されている。本体部基板１８は、接続ケーブル１６によってパネル部５のパネル部基板１７と接続されている。パネル部基板１７上にはインバータ回路６や映像信号処理回路１１が配設されている。パネル部基板１７は、別の接続ケーブル１６によってバックライト１０及び液晶パネル１５と接続されている。
【００２６】
次に、本実施形態におけるラジオ受信機１００のビート妨害の回避方法について説明する。図３に、ラジオ受信機１００におけるＡＭラジオ放送を受信するときの処理のフローチャートを示す。まず、ユーザが操作部１６を操作してＡＭラジオ放送モードを選択し、マスターマイコン２がその操作信号を受信すると、ステップＳ１０１に進む。ステップＳ１０１において、マスターマイコン２は、インバータ回路６のコントローラ回路７に対して、コントローラ回路７からＦＥＴ８のゲートに出力される出力パルスのデューティ比を小さくするための制御信号を送信する。コントローラ回路７によって、マスターマイコン２から受信した制御信号に基づいてＦＥＴ８のゲートに出力される出力パルスのデューティ比が小さくされると、変圧器９からバックライト１０へのバックライト駆動パルスのデューティ比が小さくなり、結果として変圧器９から発生する高調波のエネルギーが小さくなる。従って、ラジオチューナー３及びアンテナ回路４によってＡＭラジオ放送を受信する際に高調波が原因で発生するビート妨害を低減することができる。
【００２７】
変圧器９からバックライト１０へ出力されるバックライト駆動パルスのデューティ比が小さくなることによって、バックライト１０の照明光の輝度も低下し、液晶パネル１５に表示される画像も全体的に暗くなってしまう。そして、液晶パネル１５の表示をこのままの状態にしておくと、ユーザに違和感や不快感を与えたり、機器の故障が発生したと誤解させたりする可能性がある。そこで、ステップＳ１０３に進み、マスターマイコン２の制御によって映像信号処理回路１１が液晶パネル１５に表示している背景色を変更する。本実施形態においては、背景色を変更する場合の１つの方法として、液晶パネル１５の表示が暗くなったことにユーザが気付きにくい背景色に変更する。すなわち、液晶パネル１５の表示が暗くなった分だけ背景色の明度を高める。例えば、カラーパレット上で白に近づける補正を行ってＡＭラジオ放送モード選択後の背景色として設定する。あるいは別の方法として、ＡＭラジオ放送モード選択前の背景色とは全く異なる色を指定して新しい背景色として設定することもできる。すなわち、背景色の色相を変更する。例えば、上記のように、ＡＭラジオ放送モード選択前に液晶パネル１５に表示されている背景色がグレー系であれば、ＡＭラジオ放送モード選択後の背景色として茶系色や白系色の色を指定して設定することもできる。
【００２８】
背景色を変更する際は、マスターマイコン２からＯＳＤ１３に対して制御信号を出力する。ＯＳＤ１３は、受信した制御信号に基づいて、フラッシュＲＯＭ１２にアクセスし、ＡＭラジオ放送モード選択前の現在の背景色からＡＭラジオ放送モード選択後の背景色に変更するための色データ等を読み出す。ＯＳＤ１３は、読み出したデータに基づいて背景画像のデータ処理を行い、ＲＧＢの色変換を行って映像信号処理部１４に送る。映像信号処理部１４は、受信した背景画像のデータを処理し、変更された背景画像を液晶パネル１５に表示する。このように、ＡＭラジオ放送モード選択前の背景色に近づけるように背景色を変更したり、別の背景色に変更したりすることにより、液晶パネル１５の表示が暗くなったことが原因で違和感や不快感等をユーザに与える可能性を回避することができる。
【００２９】
背景色を変更した後、ステップＳ１０５に進み、ラジオチューナー３及びアンテナ回路４によってＡＭラジオ放送の受信及び再生を行う。上記のように、インバータ回路６の変圧器９から発生する高調波が抑制されているため、ビート妨害の影響を懸念することなく良好な受信及び再生を行うことができる。続いてステップＳ１０７に進み、ユーザが操作部１６を操作して、ＦＭラジオやデジタルテレビ放送等、受信する放送の種類を切り換える操作を行ったか否かを判定する。そして、ユーザが放送の種類を切り換える操作を行うまでステップＳ１０７を繰り返す。ユーザが操作部１６から放送の種類を切り換えるとステップＳ１０９に進む。ステップＳ１０９において、ＡＭラジオ放送から他の種類の放送受信を選択したか否かを判定する。ユーザが放送の種類を切り換える操作を行いながらも再度ＡＭラジオ放送モードを選択した場合は、引き続きＡＭラジオ放送の受信及び再生を行うため、ステップＳ１０７に戻り、あらためてユーザが放送の種類を切り換える操作を行うまでステップＳ１０７を繰り返す。ステップＳ１０９において、ユーザがＡＭラジオ放送以外の種類の放送を選択したら、ステップＳ１１１に進む。
【００３０】
ステップＳ１１１においては、変圧器９から発生する高調波がＡＭラジオ放送の受信に与える影響を考慮する必要はないため、マスターマイコン２の制御に基づいて、コントローラ回路７は、ＦＥＴ８のゲートへの出力パルスのデューティ比を大きくして元の値に戻す処理を行う。デューティ比を大きくすることにより、バックライト１０は暗くなっていた状態から復帰する。そして、ステップＳ１１３において、液晶パネル１５に表示されている背景色を元の色に変更する処理を行う。ここで、ステップＳ１０３においてＡＭラジオ放送選択後の背景色を変更する際に、背景色の明度を高める処理を行った場合は、ステップＳ１１３においては背景色の明度を低める処理を行う。これにより、ＡＭラジオ放送から他の放送に切り換える際に背景色の明度が大きく変わることなく、ユーザに違和感や不快感等を与えないようにすることができる。また、ステップＳ１０３において背景色の色相を変更する処理を行った場合は、ステップＳ１１３においては切り換える放送の種類に対応する背景色に変更する。これにより、ユーザには放送の種類を切り換える度に放送の種類に応じて背景色が変更されるため、背景色の変更が不自然とはならず違和感や不快感等を与えることはない。いずれの背景色の変更においても、ユーザは背景色の不具合を気にすることなく操作を行うことができる。
【００３１】
以上の処理をラジオ受信機１００において行うことにより、ＡＭラジオ放送を受信する場合でも、インバータ回路６の変圧器９から発生する高調波が原因となるビート妨害を回避して良好なＡＭラジオ放送の受信及び再生を行いつつ、液晶パネル１５の表示を、ユーザに違和感や不快感等を与えないように調整することができる。
【００３２】
なお、上記の説明では、背景が黒以外の場合を想定しているが、背景が黒の場合はバックライト１０が暗くなっても背景色の表示には影響がなく背景色を変更する必要はない。そこで、背景色に黒を使用している場合は、表示される文字色を白に近づける処理を行うことでユーザに液晶パネル１５の表示の違和感や不快感等を与えないようにすることができる。また、上記の説明では、バックライト１０として冷陰極管を想定しているが、冷陰極管の代わりにＬＥＤを使用することもできる。ＬＥＤを使用する場合は、ＬＥＤドライバ回路を調光回路として用いてＬＥＤを駆動させ、マスターマイコンによってＬＥＤドライバ回路を制御させる。そして、冷陰極管の場合と同様に、ＬＥＤドライバ回路からの出力のデューティ比を小さくすることによって、本発明の効果を達成することができる。
【００３３】
さらに、上記の説明では、現在実行しているモードをＡＭラジオ放送から他の放送に切り替えた場合に背景色を変更することを想定しているが、ＡＭラジオ放送以外のモードとしてＣＤ、ＤＶＤ、ＶＴＲ等の放送受信以外の処理を実行するモードも対象とし、ＡＭラジオ放送の受信からこれらのモードに選択を切り替えた場合にも背景色を変更するようにしてもよい。
【符号の説明】
【００３４】
１    本体部
２    マスターマイコン
３    ラジオチューナー
４    アンテナ回路
５    パネル部
６    インバータ回路
９    変圧器
１０    バックライト
１１    映像信号処理回路
１５    液晶パネル
【図１】
2011139324.tif 000003
【図２】
2011139324.tif 000004
【図３】
2011139324.tif 000005